(57)【要約】【課題】水栓の位置変更や新設の容易化を図ることができ、水栓の設置位置の自由度の向上にも資する壁面装飾用ボックス及び壁面装飾構造体を提供すること。【解決手段】本発明に係る壁面装飾用ボックスは、直方体形状又は立方体形状に枠組みされ、内部に配管用スペースＳを有するフレーム１と、前記フレーム１の後面に設けられた壁面取付部２と、前記フレーム１の後面以外の少なくとも何れか一面を覆う化粧パネル３とを具備し、壁面Ｗに取り付けられる壁面装飾用ボックスＢであって、前記フレーム１は、後面から長手方向の両端面にかけて延びる切り欠き部１Ａを有している。【選択図】図１
2019015163.tif 000002
【特許請求の範囲】
【請求項１】
直方体形状又は立方体形状に枠組みされ、内部に配管用スペースを有するフレームと、
前記フレームの後面に設けられた壁面取付部と、
前記フレームの後面以外の少なくとも何れか一面を覆う化粧パネルとを具備し、
壁面に取り付けられる壁面装飾用ボックスであって、
前記フレームは、後面から長手方向の両端面にかけて延びる切り欠き部を有していることを特徴とする壁面装飾用ボックス。
【請求項２】
前記フレーム内に、前記配管用スペースに配置される配管が接続される水栓が収容された請求項１に記載の壁面装飾用ボックス。
【請求項３】
前記フレームに収容棚が設けられた請求項１に記載の壁面装飾用ボックス。
【請求項４】
前記フレーム内に照明器具が収容された請求項１に記載の壁面装飾用ボックス。
【請求項５】
前記フレームの側面を覆う前記化粧パネルが該フレームに対して着脱自在であり、隣接する二つの前記フレームどうしの隣接面となる各々の側面から前記化粧パネルを取り外しておくことにより、二つの前記フレームの内部の前記配管用スペースを相互に連通させることができるように構成されている請求項１〜４の何れか一項に記載の壁面装飾用ボックス。
【請求項６】
請求項１〜５の何れか一項に記載の壁面装飾用ボックスを複数隣接配置して構成した壁面装飾構造体。
【発明の詳細な説明】
【技術分野】
【０００１】
本発明は、例えば、室内等の壁面に設置される壁面装飾用ボックス及び壁面装飾構造体に関する。
【背景技術】
【０００２】
従来、浴室や洗面所等に設置される水栓に接続される配管は、露出をなるべく抑えるため、その殆どの部分が壁内や床下に配置される。
【発明の概要】
【発明が解決しようとする課題】
【０００３】
そのため、例えばリノベーション時に既設水栓の位置を変更したり水栓を新設したりする場合、壁内配管の配置変更等、困難な作業を伴うことになる。
【０００４】
また、柱躯体が存在する位置には配管を配置することができず、これにより、水栓の設置位置の自由度が制限されることにもなる。
【０００５】
本発明は上述の事柄に留意してなされたもので、その目的は、水栓の位置変更や新設の容易化を図ることができ、水栓の設置位置の自由度の向上にも資する壁面装飾用ボックス及び壁面装飾構造体を提供することにある。
【課題を解決するための手段】
【０００６】
上記目的を達成するために、本発明に係る壁面装飾用ボックスは、直方体形状又は立方体形状に枠組みされ、内部に配管用スペースを有するフレームと、前記フレームの後面に設けられた壁面取付部と、前記フレームの後面以外の少なくとも何れか一面を覆う化粧パネルとを具備し、壁面に取り付けられる壁面装飾用ボックスであって、前記フレームは、後面から長手方向の両端面にかけて延びる切り欠き部を有している（請求項１）。
【０００７】
上記壁面装飾用ボックスにおいて、前記フレーム内に、前記配管用スペースに配置される配管が接続される水栓が収容されていてもよい（請求項２）。
【０００８】
上記壁面装飾用ボックスにおいて、前記フレームに収容棚が設けられていてもよい（請求項３）。
【０００９】
上記壁面装飾用ボックスにおいて、前記フレーム内に照明器具が収容されていてもよい（請求項４）。
【００１０】
上記壁面装飾用ボックスにおいて、二つの前記フレームの側面を覆う前記化粧パネルが該フレームに対して着脱自在であり、隣接する二つの前記フレームどうしの隣接面となる各々の側面から前記化粧パネルを取り外しておくことにより、二つの前記フレームの内部の前記配管用スペースを相互に連通させることができるように構成されていてもよい（請求項５）。
【００１１】
一方、上記目的を達成するために、本発明に係る壁面装飾構造体は、請求項１〜５の何れか一項に記載の壁面装飾用ボックスを複数隣接配置して構成した（請求項６）。
【発明の効果】
【００１２】
本願発明では、水栓の位置変更や新設の容易化を図ることができ、水栓の設置位置の自由度の向上にも資する壁面装飾用ボックス及び壁面装飾構造体が得られる。
【００１３】
すなわち、本願の各請求項に係る発明の壁面装飾用ボックスでは、その内部の配管用スペースに配管を通すようにすれば、配管は化粧パネルで目隠しされることになるので、美観性の向上を図ることができる。しかも、水栓の位置変更や新設に際し、それに伴う配管の構成変更・追加作業を行う場合に、既に設けてある壁面装飾用ボックスを利用するか、あるいは新たに壁面装飾用ボックスを設け、その壁面装飾用ボックスの配管用スペースを利用することにより、配管の構成変更・追加作業を壁内（壁の裏側）で行うことなく、壁の外側（表側）で行うことができるので、作業の容易化を図ることも可能となり、ひいては水栓の設置位置の自由度の向上にも資することとなる。さらに、フレームには、その後面から長手方向の両端面にかけて延びる切り欠き部を設けてあるので、内部の配管用スペースに配管を通し易く、この点でも施工性に優れている。
【図面の簡単な説明】
【００１４】
【図１】本発明の一実施の形態に係る壁面装飾用ボックスを複数隣接配置した壁面装飾構造体の設置例を概略的に示す斜視図である。
【図２】上記設置例を概略的に示す正面図である。
【図３】（Ａ）〜（Ｃ）は前記壁面装飾用ボックスの施工手順を概略的に示す斜視図である。
【図４】（Ａ）及び（Ｂ）は、図３の施工手順の続きを概略的に示す斜視図である。
【図５】（Ａ）及び（Ｂ）は、図４の施工手順の続きを概略的に示す斜視図である。
【図６】前記壁面装飾用ボックスの要部の構成を概略的に示す縦断端面図である。
【図７】浴室用水栓タイプの壁面装飾用ボックスの構成を概略的に示す斜視図である。
【図８】前記浴室用水栓タイプの壁面装飾用ボックスの構成を概略的に示す分解斜視図である。
【図９】（Ａ）及び（Ｂ）は、洗面室用水栓タイプの壁面装飾用ボックスの構成を概略的に示す斜視図及び分解斜視図である。
【図１０】前記壁面装飾用ボックス及び壁面装飾構造体の変形例の構成を概略的に示す斜視図である。
【図１１】前記壁面装飾用ボックス及び壁面装飾構造体の他の変形例の構成を概略的に示す斜視図である。
【発明を実施するための形態】
【００１５】
本発明の実施の形態について図面を参照しながら以下に説明する。
【００１６】
図１及び図２に示す壁面装飾構造体Ａは、壁面装飾用ボックスＢを複数隣接配置して構成したものである。
【００１７】
壁面装飾用ボックスＢは、直方体形状又は立方体形状に枠組みされ、内部に配管用スペースＳ（図６参照）を有するフレーム１（図３（Ｂ）参照）と、フレーム１の後面に設けられた壁面取付部２（図３（Ｂ）参照）と、フレーム１の後面以外の少なくとも何れか一面を覆う化粧パネル３とを具備し、金属（例えばステンレスやアルミニウム合金）で製造され、壁面Ｗに取り付けられることを基本構成とするものである。
【００１８】
図３（Ｂ）に示すフレーム１は、直方体形状に枠組みされており、上下に開口しているとともに、内部の配管用スペースＳに配管を通し易くするため、後面から左右両側面（長手方向の両端面）にかけて延びる切り欠き部１Ａを有している。なお、切り欠き部１Ａは、配管用スペースＳを囲む位置（下部）に設けられ、切り欠き部１Ａを通じて配管用スペースＳがフレーム１の外部空間（フレーム１に対しその長手方向外側の空間）に連通するように構成されている。
【００１９】
壁面取付部２は、水平方向に延びる状態となるように壁面Ｗにねじ止めされ、被係合溝４を有する固定レール５（図３（Ａ）参照）と、フレーム１の後面上部（切り欠き部１Ａより上側の部分）に設けられ、被係合部４に係合する係合突起（図示していない）と、係合突起が被係合部４に係合する状態で壁面Ｗにねじ止めされるフレーム１の後面下部（切り欠き部１Ａより下側の部分）とで構成されている。なお、図３（Ｂ）には、固定レール５の被係合部４に係合突起に係合させてフレーム１と固定レール５とを一体化した状態を示してある。
【００２０】
化粧パネル３は、フレーム１の前面には必ず組み付けられ、必要に応じて、左右（サイド）面、下面、上面に組み付けられる。化粧パネル３を組み付けるか否かは、配管用スペースＳに対して配管Ｔをどの方向から通すかによって決まり、配管Ｔを通す面には化粧パネル３を設けないようにする。図３（Ｃ）にはフレーム１の左右に化粧パネル３を組み付ける工程を、図４（Ａ）にはフレーム１の前面に化粧パネル３を組み付ける工程を、図４（Ｂ）にはフレーム１の下面に化粧パネル３を組み付ける工程を示してある。フレーム１に対する化粧パネル３の組付けは、係合、ねじ止め等により適宜行えるようにすればよく、フレーム１に対して化粧パネル３を着脱自在にしてあるのが好ましい。
【００２１】
また、化粧パネル３は、その外面に、木製、ガラス製、金属製、樹脂製のシートやフィルムを化粧材として簡単に貼ることができるように構成されている。なお、化粧パネル３の外面への化粧材の貼付は、フレーム１に化粧パネル３を組み付ける前に行っておいてもよいし、後から行うようにしてもよい。
【００２２】
図３（Ｂ）及び（Ｃ）、図４（Ａ）及び（Ｂ）に示す順序で化粧パネル３をフレーム１に組み付けた後、図５（Ａ）に示すように、収容棚（図示例はトレイ）６をフレーム１に上方から嵌め込むことにより、図５（Ｂ）に示す壁面装飾用ボックスＢが得られる。
【００２３】
そして、壁面装飾用ボックスＢの設置後、必要に応じてそのフレーム１内の下部に設けられた配管用スペースＳに配管Ｔ（給水配管Ｔ１、給湯配管Ｔ２）を通すことができる（図６参照）。
【００２４】
すなわち、壁面装飾用ボックスＢを複数隣接配置して、各壁面装飾用ボックスＢの配管用スペースＳに配管Ｔを通すようにすれば、配管Ｔは壁面装飾用ボックスＢの化粧パネル３で目隠しされることになるので、美観性の向上を図ることができる。しかも、水栓の位置変更や新設に際し、それに伴う配管Ｔの構成変更・追加作業を行う場合に、既に設けてある壁面装飾用ボックスＢを利用するか、あるいは新たに壁面装飾用ボックスＢを設け、その壁面装飾用ボックスＢの配管用スペースＳを利用することにより、配管Ｔの構成変更・追加作業を壁内（壁の裏側）で行うことなく、壁の外側（表側）で行うことができるので、作業の容易化を図ることも可能となり、ひいては水栓の設置位置の自由度の向上にも資することとなる。さらに、フレーム１には、その後面から長手方向の両端面にかけて延びる切り欠き部１Ａを設けてあるので、内部の配管用スペースＳに配管Ｔを通し易く、この点でも施工性に優れている。
【００２５】
図５（Ｂ）に示す壁面装飾用ボックスＢは、上部に物を載置・収容可能な収容棚タイプの壁面装飾用ボックスＢ１であるが、これに限らず、壁面装飾用ボックスＢは、上記基本構成（配管用スペースＳ、壁面取付部２、化粧パネル３を有する構成）を備える範囲で、その他の構成を様々に変更可能である。
【００２６】
図７、図８に、浴室用水栓タイプの壁面装飾用ボックスＢ２を示す。この壁面装飾用ボックスＢ２のフレーム１内には、配管用スペースＳに配置される配管Ｔ（給水配管Ｔ１、給湯配管Ｔ２）が接続される水栓（浴室用湯水混合水栓）７が収容され、また、フレーム１（化粧パネル３）の外側に露出する状態で、ハンドシャワー８と、図外の吐水管と、ハンドシャワー８及び吐水管の吐水・止水の切替え兼流量調整用のハンドル９と、温度調整用のハンドル１０とが設けられている。なお、上記部材７〜１０及び吐水管の構成（ハンドル９，１０を操作してハンドシャワー８、吐水管からの吐水量の調整と吐水の温度調整とを行わせるための機構）には公知のものを採用することができる。
【００２７】
図９（Ａ）及び（Ｂ）に、洗面室用水栓タイプの壁面装飾用ボックスＢ３を示す。この壁面装飾用ボックスＢ３のフレーム１内には、配管用スペースＳに配置される配管Ｔ（給水配管Ｔ１、給湯配管Ｔ２）が接続される水栓（洗面室用湯水混合水栓）１１が収容され、また、フレーム１（化粧パネル３）の外側に露出する状態で、図外の吐水管と、吐水管の流量調整兼温度調整用のレバー１２とが設けられている。なお、上記部材１１〜１２及び吐水管の構成（レバー１２を操作して吐水管からの吐水量の調整と吐水の温度調整とを行わせるための機構）には公知のものを採用することができる。
【００２８】
図１、図２に示す壁面装飾構造体Ａは、壁面装飾用ボックスＢ１〜Ｂ３を組み合わせて横一列に隣接配置して構成したものであり（図示例では、壁面装飾用ボックスＢ１の横幅は不均一である）、壁内から引き出して壁面装飾用ボックスＢ２の水栓７に連結した配管Ｔ（給水配管Ｔ１、給湯配管Ｔ２）を分岐させて、壁面装飾用ボックスＢ３の水栓１１にも連結してあることにより、壁内から室内側に配管Ｔを引き出す位置を一箇所のみとすることができ、それだけ配管作業が容易となる。
【００２９】
また、壁面装飾用ボックスＢの上下幅及び奥行の寸法を統一化しておくことにより、複数の壁面装飾用ボックスＢを組み合わせて用いるときに統一感を出し易くすることができる上、他のタイプの壁面装飾用ボックスＢに交換するのを容易とすることもできる。そして、この効果は、壁面装飾用ボックスＢの左右幅の統一化（均一化）により、一層高めることも可能である。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
フレーム１内に照明器具を収容するようにしてもよい。この場合、照明器具による照明効果を十分発揮させるために、化粧パネル３に光透過性を持たせる。
【００３２】
図６に示す壁面装飾用ボックスＢは、フレーム１内の空間を上下に大きく分け、そのうちの下側を配管用スペースＳとしてあるが、これに限らず、例えば、フレーム１内の空間を壁側と室内側とに大きく分け、そのうちの壁側を配管用スペースＳとしてもよい。この場合に、室内側に収容棚を設けるときには、この収容棚に収容した物の落下を防止するために、開閉扉を設けるようにしてもよい。
【００３３】
図１０（Ａ）及び（Ｂ）には、隣接配置する壁面装飾用ボックスＢ１、Ｂ３に用いる固定レール５及び前面の化粧パネル３を一体化した例を示す。このように、複数の壁面装飾用ボックスＢを隣接配置する場合、これらの部材の一部を予め一体化しておいてもよいし、一体化せず、固定レール５又は前面の化粧パネル３の少なくとも一方を壁面装飾用ボックスＢごとに設け、壁面装飾用ボックスＢの個別のメンテナンス、交換、撤去等を行い易くするようにしておいてもよい。図１１には、隣接配置する壁面装飾用ボックスＢ１、Ｂ３の前面の化粧パネル３を一体化せずに個別に設けた例を示しており、この図の壁面装飾用ボックスＢ１は、二つの収容棚（トレイ）６を有している。
【００３４】
ここで、図１０、図１１に示すように、二つの壁面装飾用ボックスＢを隣接させる場合、隣接する二つの壁面装飾用ボックスＢ（フレーム１）どうしの隣接面となる各々の側面から化粧パネル３を取り外しておくことにより、二つの壁面装飾用ボックスＢ（フレーム１）の内部の配管用スペースＳは切り欠き部１Ａを介して相互に連通することになる。従って、図９（Ａ）に示す洗面室用水栓タイプの壁面装飾用ボックスＢ３に、図１０（Ａ）に示すように収容棚タイプの壁面装飾用ボックスＢ１を増設したり、図７に示す浴室用水栓タイプの壁面装飾用ボックスＢ２に、図１１に示すように収容棚タイプの壁面装飾用ボックスＢ１を増設したりする場合に、増設に伴って配管Ｔを延ばす作業も容易となる。そして、そのためには、各壁面装飾用ボックスＢのフレーム１の側面を覆う化粧パネル３がフレーム１に対して着脱自在であることが好ましい。
【００３５】
そこで、図８、図９（Ｂ）に示すように、水栓用の壁面装飾用ボックスＢ２，Ｂ３の左右両側面の化粧パネル３には、内面に二つの前突起３ａと二つの後突起３ｂを設け、各突起３ａ、３ｂをフレーム１にねじ固定するように構成してある。図示例の各突起３ａ、３ｂは、先端部が二又に分かれ、その先端部を貫くねじ（図示していない）によりフレーム１に固定される。従って、ねじを外せば、化粧パネル３を横に引き抜いてフレーム１から取り外すことができる。そして、前突起３ａの固定及び解除操作はフレーム１の前方から行え、斯かる構成に特筆するべき点は無いが、本例では、後突起３ｂの固定及び解除操作もフレーム１の前方から行えるのであり、具体的には、前面が覆われていない状態のフレーム１の前方の開口からドライバーを差し込んで行えるようにしてあり、この操作を行い易くするために、後突起３ｂは前突起３ａよりも長くしてあり、かつ、二つの前突起３ａの上下の間隔より二つの後突起３ｂの上下の間隔を大きくして、後突起３ｂの固定及び解除操作の際に前突起３ａが邪魔になり難いように前突起３ａと後突起３ｂの上下方向の位置をずらしてある。
【００３６】
なお、先端部が二又状になっている突起３ａ、３ｂの一部又は全部を、例えばタッピングねじによって固定される筒状（円筒状等）の突起に変えてもよい。また、図５に示す収容棚タイプの壁面装飾用ボックスＢ１の左右両側面の化粧パネル３についても、図８、図９（Ｂ）に示す水栓用の壁面装飾用ボックスＢ２，Ｂ３の左右両側面の化粧パネル３と同様の構成としてもよいし、異なる構成としてもよい。
【００３７】
そして、本発明の壁面装飾用ボックスＢ（壁面装飾構造体Ａ）は、浴室や洗面室の壁面に限らず、例えばトイレの壁面等にも設置可能である。また、本発明の壁面装飾用ボックスＢ（壁面装飾構造体Ａ）は壁面の装飾効果を高めることができるため、本発明の壁面装飾用ボックスＢ（壁面装飾構造体Ａ）を用いれば、通常は水栓が設けられていないような場所（例えば玄関ホール等）に水栓を違和感なく（あるいは高い意匠性を持たせた状態で）設置することも容易となる。
【００３８】
例えば、図５（Ａ）及び（Ｂ）に示す収容棚タイプの壁面装飾用ボックスＢ１では、収容棚６が配管用スペースＳを侵食しないように構成されているが、配管用スペースＳに配管Ｔを通さない状態で壁面装飾用ボックスＢ１を使用する場合には、一旦、配管用スペースＳ内にまで延びる収容棚を設け、配管用スペースＳに配管Ｔを通そうとするときに、その収容棚を取り外し、配管用スペースＳを侵食しない収容棚６に交換可能となるように構成してもよい。このようにすることで、配管Ｔを通さないときの配管用スペースＳを有効利用することができるのであり、同様のことは、収容棚タイプ以外のタイプの壁面装飾用ボックスＢについても行える。
【００３９】
なお、上記変形例どうしを適宜組み合わせてもよいことはいうまでもない。
【符号の説明】
【００４０】
１    フレーム
１Ａ  切り欠き部
２    壁面取付部
３    化粧パネル
３ａ  前突起
３ｂ  後突起
４    被係合部
５    固定レール
６    収用棚
７    水栓
８    ハンドシャワー
９    ハンドル
１０    ハンドル
１１    水栓
１２    レバー
Ａ    壁面装飾構造体
Ｂ    壁面装飾用ボックス
Ｓ    配管用スペース
Ｗ    壁面
【図１】
2019015163.tif 000003
【図２】
2019015163.tif 000004
【図３】
2019015163.tif 000005
【図４】
2019015163.tif 000006
【図５】
2019015163.tif 000007
【図６】
2019015163.tif 000008
【図７】
2019015163.tif 000009
【図８】
2019015163.tif 000010
【図９】
2019015163.tif 000011
【図１０】
2019015163.tif 000012
【図１１】
2019015163.tif 000013
【手続補正書】
【提出日】平成30年5月29日(2018.5.29)
【手続補正１】
【補正対象書類名】明細書
【補正対象項目名】全文
【補正方法】変更
【補正の内容】
【発明の詳細な説明】
【技術分野】
【０００１】
本発明は、例えば、室内等の壁面に設置される壁面装飾用ボックス及び壁面装飾構造体に関する。
【背景技術】
【０００２】
従来、浴室や洗面所等に設置される水栓に接続される配管は、露出をなるべく抑えるため、その殆どの部分が壁内や床下に配置される。
【発明の概要】
【発明が解決しようとする課題】
【０００３】
そのため、例えばリノベーション時に既設水栓の位置を変更したり水栓を新設したりする場合、壁内配管の配置変更等、困難な作業を伴うことになる。
【０００４】
また、柱躯体が存在する位置には配管を配置することができず、これにより、水栓の設置位置の自由度が制限されることにもなる。
【０００５】
本発明は上述の事柄に留意してなされたもので、その目的は、水栓の位置変更や新設の容易化を図ることができ、水栓の設置位置の自由度の向上にも資する壁面装飾用ボックス及び壁面装飾構造体を提供することにある。
【課題を解決するための手段】
【０００６】
上記目的を達成するために、本発明に係る壁面装飾用ボックスは、直方体形状又は立方体形状に枠組みされ、内部に配管用スペースを有するフレームと、前記フレームの後面に設けられた壁面取付部と、前記フレームの後面以外の少なくとも何れか一面を覆う化粧パネルとを具備し、壁面に取り付けられる壁面装飾用ボックスであって、前記フレームは、後面から長手方向の両端面にかけて延びる切り欠き部を有しているとともに上下に開口している一方、前記フレームの前面を前記化粧パネルで覆うよう構成されている（請求項１）。
【０００７】
上記壁面装飾用ボックスにおいて、前記フレーム内に、前記配管用スペースに配置される配管が接続される水栓が収容されていてもよい（請求項２）。
【０００８】
上記壁面装飾用ボックスにおいて、前記フレームに収容棚が設けられていてもよい（請求項３）。
【０００９】
上記壁面装飾用ボックスにおいて、前記フレーム内に照明器具が収容されていてもよい（請求項４）。
【００１０】
また、本発明は別の観点から、直方体形状又は立方体形状に枠組みされ、内部に配管用スペースを有するフレームと、前記フレームの後面に設けられた壁面取付部と、前記フレームの後面以外の少なくとも何れか一面を覆う化粧パネルとを具備し、壁面に取り付けられる壁面装飾用ボックスであって、前記フレームは、後面から長手方向の両端面にかけて延びる切り欠き部を有し、さらに、二つの前記フレームの側面を覆う前記化粧パネルが該フレームに対して着脱自在であり、隣接する二つの前記フレームどうしの隣接面となる各々の側面から前記化粧パネルを取り外しておくことにより、二つの前記フレームの内部の前記配管用スペースを相互に連通させることができるように構成されていることを特徴とする壁面装飾用ボックスを提供する（請求項５）。
【００１１】
一方、上記目的を達成するために、本発明に係る壁面装飾構造体は、請求項１〜５の何れか一項に記載の壁面装飾用ボックスを複数隣接配置して構成した（請求項６）。
【発明の効果】
【００１２】
本願発明では、水栓の位置変更や新設の容易化を図ることができ、水栓の設置位置の自由度の向上にも資する壁面装飾用ボックス及び壁面装飾構造体が得られる。
【００１３】
すなわち、本願の各請求項に係る発明の壁面装飾用ボックスでは、その内部の配管用スペースに配管を通すようにすれば、配管は化粧パネルで目隠しされることになるので、美観性の向上を図ることができる。しかも、水栓の位置変更や新設に際し、それに伴う配管の構成変更・追加作業を行う場合に、既に設けてある壁面装飾用ボックスを利用するか、あるいは新たに壁面装飾用ボックスを設け、その壁面装飾用ボックスの配管用スペースを利用することにより、配管の構成変更・追加作業を壁内（壁の裏側）で行うことなく、壁の外側（表側）で行うことができるので、作業の容易化を図ることも可能となり、ひいては水栓の設置位置の自由度の向上にも資することとなる。さらに、フレームには、その後面から長手方向の両端面にかけて延びる切り欠き部を設けてあるので、内部の配管用スペースに配管を通し易く、この点でも施工性に優れている。
【図面の簡単な説明】
【００１４】
【図１】本発明の一実施の形態に係る壁面装飾用ボックスを複数隣接配置した壁面装飾構造体の設置例を概略的に示す斜視図である。
【図２】上記設置例を概略的に示す正面図である。
【図３】（Ａ）〜（Ｃ）は前記壁面装飾用ボックスの施工手順を概略的に示す斜視図である。
【図４】（Ａ）及び（Ｂ）は、図３の施工手順の続きを概略的に示す斜視図である。
【図５】（Ａ）及び（Ｂ）は、図４の施工手順の続きを概略的に示す斜視図である。
【図６】前記壁面装飾用ボックスの要部の構成を概略的に示す縦断端面図である。
【図７】浴室用水栓タイプの壁面装飾用ボックスの構成を概略的に示す斜視図である。
【図８】前記浴室用水栓タイプの壁面装飾用ボックスの構成を概略的に示す分解斜視図である。
【図９】（Ａ）及び（Ｂ）は、洗面室用水栓タイプの壁面装飾用ボックスの構成を概略的に示す斜視図及び分解斜視図である。
【図１０】前記壁面装飾用ボックス及び壁面装飾構造体の変形例の構成を概略的に示す斜視図である。
【図１１】前記壁面装飾用ボックス及び壁面装飾構造体の他の変形例の構成を概略的に示す斜視図である。
【発明を実施するための形態】
【００１５】
本発明の実施の形態について図面を参照しながら以下に説明する。
【００１６】
図１及び図２に示す壁面装飾構造体Ａは、壁面装飾用ボックスＢを複数隣接配置して構成したものである。
【００１７】
壁面装飾用ボックスＢは、直方体形状又は立方体形状に枠組みされ、内部に配管用スペースＳ（図６参照）を有するフレーム１（図３（Ｂ）参照）と、フレーム１の後面に設けられた壁面取付部２（図３（Ｂ）参照）と、フレーム１の後面以外の少なくとも何れか一面を覆う化粧パネル３とを具備し、金属（例えばステンレスやアルミニウム合金）で製造され、壁面Ｗに取り付けられることを基本構成とするものである。
【００１８】
図３（Ｂ）に示すフレーム１は、直方体形状に枠組みされており、上下に開口しているとともに、内部の配管用スペースＳに配管を通し易くするため、後面から左右両側面（長手方向の両端面）にかけて延びる切り欠き部１Ａを有している。なお、切り欠き部１Ａは、配管用スペースＳを囲む位置（下部）に設けられ、切り欠き部１Ａを通じて配管用スペースＳがフレーム１の外部空間（フレーム１に対しその長手方向外側の空間）に連通するように構成されている。
【００１９】
壁面取付部２は、水平方向に延びる状態となるように壁面Ｗにねじ止めされ、被係合溝４を有する固定レール５（図３（Ａ）参照）と、フレーム１の後面上部（切り欠き部１Ａより上側の部分）に設けられ、被係合部４に係合する係合突起（図示していない）と、係合突起が被係合部４に係合する状態で壁面Ｗにねじ止めされるフレーム１の後面下部（切り欠き部１Ａより下側の部分）とで構成されている。なお、図３（Ｂ）には、固定レール５の被係合部４に係合突起に係合させてフレーム１と固定レール５とを一体化した状態を示してある。
【００２０】
化粧パネル３は、フレーム１の前面には必ず組み付けられ、必要に応じて、左右（サイド）面、下面、上面に組み付けられる。化粧パネル３を組み付けるか否かは、配管用スペースＳに対して配管Ｔをどの方向から通すかによって決まり、配管Ｔを通す面には化粧パネル３を設けないようにする。図３（Ｃ）にはフレーム１の左右に化粧パネル３を組み付ける工程を、図４（Ａ）にはフレーム１の前面に化粧パネル３を組み付ける工程を、図４（Ｂ）にはフレーム１の下面に化粧パネル３を組み付ける工程を示してある。フレーム１に対する化粧パネル３の組付けは、係合、ねじ止め等により適宜行えるようにすればよく、フレーム１に対して化粧パネル３を着脱自在にしてあるのが好ましい。
【００２１】
また、化粧パネル３は、その外面に、木製、ガラス製、金属製、樹脂製のシートやフィルムを化粧材として簡単に貼ることができるように構成されている。なお、化粧パネル３の外面への化粧材の貼付は、フレーム１に化粧パネル３を組み付ける前に行っておいてもよいし、後から行うようにしてもよい。
【００２２】
図３（Ｂ）及び（Ｃ）、図４（Ａ）及び（Ｂ）に示す順序で化粧パネル３をフレーム１に組み付けた後、図５（Ａ）に示すように、収容棚（図示例はトレイ）６をフレーム１に上方から嵌め込むことにより、図５（Ｂ）に示す壁面装飾用ボックスＢが得られる。
【００２３】
そして、壁面装飾用ボックスＢの設置後、必要に応じてそのフレーム１内の下部に設けられた配管用スペースＳに配管Ｔ（給水配管Ｔ１、給湯配管Ｔ２）を通すことができる（図６参照）。
【００２４】
すなわち、壁面装飾用ボックスＢを複数隣接配置して、各壁面装飾用ボックスＢの配管用スペースＳに配管Ｔを通すようにすれば、配管Ｔは壁面装飾用ボックスＢの化粧パネル３で目隠しされることになるので、美観性の向上を図ることができる。しかも、水栓の位置変更や新設に際し、それに伴う配管Ｔの構成変更・追加作業を行う場合に、既に設けてある壁面装飾用ボックスＢを利用するか、あるいは新たに壁面装飾用ボックスＢを設け、その壁面装飾用ボックスＢの配管用スペースＳを利用することにより、配管Ｔの構成変更・追加作業を壁内（壁の裏側）で行うことなく、壁の外側（表側）で行うことができるので、作業の容易化を図ることも可能となり、ひいては水栓の設置位置の自由度の向上にも資することとなる。さらに、フレーム１には、その後面から長手方向の両端面にかけて延びる切り欠き部１Ａを設けてあるので、内部の配管用スペースＳに配管Ｔを通し易く、この点でも施工性に優れている。
【００２５】
図５（Ｂ）に示す壁面装飾用ボックスＢは、上部に物を載置・収容可能な収容棚タイプの壁面装飾用ボックスＢ１であるが、これに限らず、壁面装飾用ボックスＢは、上記基本構成（配管用スペースＳ、壁面取付部２、化粧パネル３を有する構成）を備える範囲で、その他の構成を様々に変更可能である。
【００２６】
図７、図８に、浴室用水栓タイプの壁面装飾用ボックスＢ２を示す。この壁面装飾用ボックスＢ２のフレーム１内には、配管用スペースＳに配置される配管Ｔ（給水配管Ｔ１、給湯配管Ｔ２）が接続される水栓（浴室用湯水混合水栓）７が収容され、また、フレーム１（化粧パネル３）の外側に露出する状態で、ハンドシャワー８と、図外の吐水管と、ハンドシャワー８及び吐水管の吐水・止水の切替え兼流量調整用のハンドル９と、温度調整用のハンドル１０とが設けられている。なお、上記部材７〜１０及び吐水管の構成（ハンドル９，１０を操作してハンドシャワー８、吐水管からの吐水量の調整と吐水の温度調整とを行わせるための機構）には公知のものを採用することができる。
【００２７】
図９（Ａ）及び（Ｂ）に、洗面室用水栓タイプの壁面装飾用ボックスＢ３を示す。この壁面装飾用ボックスＢ３のフレーム１内には、配管用スペースＳに配置される配管Ｔ（給水配管Ｔ１、給湯配管Ｔ２）が接続される水栓（洗面室用湯水混合水栓）１１が収容され、また、フレーム１（化粧パネル３）の外側に露出する状態で、図外の吐水管と、吐水管の流量調整兼温度調整用のレバー１２とが設けられている。なお、上記部材１１〜１２及び吐水管の構成（レバー１２を操作して吐水管からの吐水量の調整と吐水の温度調整とを行わせるための機構）には公知のものを採用することができる。
【００２８】
図１、図２に示す壁面装飾構造体Ａは、壁面装飾用ボックスＢ１〜Ｂ３を組み合わせて横一列に隣接配置して構成したものであり（図示例では、壁面装飾用ボックスＢ１の横幅は不均一である）、壁内から引き出して壁面装飾用ボックスＢ２の水栓７に連結した配管Ｔ（給水配管Ｔ１、給湯配管Ｔ２）を分岐させて、壁面装飾用ボックスＢ３の水栓１１にも連結してあることにより、壁内から室内側に配管Ｔを引き出す位置を一箇所のみとすることができ、それだけ配管作業が容易となる。
【００２９】
また、壁面装飾用ボックスＢの上下幅及び奥行の寸法を統一化しておくことにより、複数の壁面装飾用ボックスＢを組み合わせて用いるときに統一感を出し易くすることができる上、他のタイプの壁面装飾用ボックスＢに交換するのを容易とすることもできる。そして、この効果は、壁面装飾用ボックスＢの左右幅の統一化（均一化）により、一層高めることも可能である。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
フレーム１内に照明器具を収容するようにしてもよい。この場合、照明器具による照明効果を十分発揮させるために、化粧パネル３に光透過性を持たせる。
【００３２】
図６に示す壁面装飾用ボックスＢは、フレーム１内の空間を上下に大きく分け、そのうちの下側を配管用スペースＳとしてあるが、これに限らず、例えば、フレーム１内の空間を壁側と室内側とに大きく分け、そのうちの壁側を配管用スペースＳとしてもよい。この場合に、室内側に収容棚を設けるときには、この収容棚に収容した物の落下を防止するために、開閉扉を設けるようにしてもよい。
【００３３】
図１０（Ａ）及び（Ｂ）には、隣接配置する壁面装飾用ボックスＢ１、Ｂ３に用いる固定レール５及び前面の化粧パネル３を一体化した例を示す。このように、複数の壁面装飾用ボックスＢを隣接配置する場合、これらの部材の一部を予め一体化しておいてもよいし、一体化せず、固定レール５又は前面の化粧パネル３の少なくとも一方を壁面装飾用ボックスＢごとに設け、壁面装飾用ボックスＢの個別のメンテナンス、交換、撤去等を行い易くするようにしておいてもよい。図１１には、隣接配置する壁面装飾用ボックスＢ１、Ｂ３の前面の化粧パネル３を一体化せずに個別に設けた例を示しており、この図の壁面装飾用ボックスＢ１は、二つの収容棚（トレイ）６を有している。
【００３４】
ここで、図１０、図１１に示すように、二つの壁面装飾用ボックスＢを隣接させる場合、隣接する二つの壁面装飾用ボックスＢ（フレーム１）どうしの隣接面となる各々の側面から化粧パネル３を取り外しておくことにより、二つの壁面装飾用ボックスＢ（フレーム１）の内部の配管用スペースＳは切り欠き部１Ａを介して相互に連通することになる。従って、図９（Ａ）に示す洗面室用水栓タイプの壁面装飾用ボックスＢ３に、図１０（Ａ）に示すように収容棚タイプの壁面装飾用ボックスＢ１を増設したり、図７に示す浴室用水栓タイプの壁面装飾用ボックスＢ２に、図１１に示すように収容棚タイプの壁面装飾用ボックスＢ１を増設したりする場合に、増設に伴って配管Ｔを延ばす作業も容易となる。そして、そのためには、各壁面装飾用ボックスＢのフレーム１の側面を覆う化粧パネル３がフレーム１に対して着脱自在であることが好ましい。
【００３５】
そこで、図８、図９（Ｂ）に示すように、水栓用の壁面装飾用ボックスＢ２，Ｂ３の左右両側面の化粧パネル３には、内面に二つの前突起３ａと二つの後突起３ｂを設け、各突起３ａ、３ｂをフレーム１にねじ固定するように構成してある。図示例の各突起３ａ、３ｂは、先端部が二又に分かれ、その先端部を貫くねじ（図示していない）によりフレーム１に固定される。従って、ねじを外せば、化粧パネル３を横に引き抜いてフレーム１から取り外すことができる。そして、前突起３ａの固定及び解除操作はフレーム１の前方から行え、斯かる構成に特筆するべき点は無いが、本例では、後突起３ｂの固定及び解除操作もフレーム１の前方から行えるのであり、具体的には、前面が覆われていない状態のフレーム１の前方の開口からドライバーを差し込んで行えるようにしてあり、この操作を行い易くするために、後突起３ｂは前突起３ａよりも長くしてあり、かつ、二つの前突起３ａの上下の間隔より二つの後突起３ｂの上下の間隔を大きくして、後突起３ｂの固定及び解除操作の際に前突起３ａが邪魔になり難いように前突起３ａと後突起３ｂの上下方向の位置をずらしてある。
【００３６】
なお、先端部が二又状になっている突起３ａ、３ｂの一部又は全部を、例えばタッピングねじによって固定される筒状（円筒状等）の突起に変えてもよい。また、図５に示す収容棚タイプの壁面装飾用ボックスＢ１の左右両側面の化粧パネル３についても、図８、図９（Ｂ）に示す水栓用の壁面装飾用ボックスＢ２，Ｂ３の左右両側面の化粧パネル３と同様の構成としてもよいし、異なる構成としてもよい。
【００３７】
そして、本発明の壁面装飾用ボックスＢ（壁面装飾構造体Ａ）は、浴室や洗面室の壁面に限らず、例えばトイレの壁面等にも設置可能である。また、本発明の壁面装飾用ボックスＢ（壁面装飾構造体Ａ）は壁面の装飾効果を高めることができるため、本発明の壁面装飾用ボックスＢ（壁面装飾構造体Ａ）を用いれば、通常は水栓が設けられていないような場所（例えば玄関ホール等）に水栓を違和感なく（あるいは高い意匠性を持たせた状態で）設置することも容易となる。
【００３８】
例えば、図５（Ａ）及び（Ｂ）に示す収容棚タイプの壁面装飾用ボックスＢ１では、収容棚６が配管用スペースＳを侵食しないように構成されているが、配管用スペースＳに配管Ｔを通さない状態で壁面装飾用ボックスＢ１を使用する場合には、一旦、配管用スペースＳ内にまで延びる収容棚を設け、配管用スペースＳに配管Ｔを通そうとするときに、その収容棚を取り外し、配管用スペースＳを侵食しない収容棚６に交換可能となるように構成してもよい。このようにすることで、配管Ｔを通さないときの配管用スペースＳを有効利用することができるのであり、同様のことは、収容棚タイプ以外のタイプの壁面装飾用ボックスＢについても行える。
【００３９】
なお、上記変形例どうしを適宜組み合わせてもよいことはいうまでもない。
【符号の説明】
【００４０】
１    フレーム
１Ａ  切り欠き部
２    壁面取付部
３    化粧パネル
３ａ  前突起
３ｂ  後突起
４    被係合部
５    固定レール
６    収用棚
７    水栓
８    ハンドシャワー
９    ハンドル
１０    ハンドル
１１    水栓
１２    レバー
Ａ    壁面装飾構造体
Ｂ    壁面装飾用ボックス
Ｓ    配管用スペース
Ｗ    壁面
【手続補正２】
【補正対象書類名】特許請求の範囲
【補正対象項目名】全文
【補正方法】変更
【補正の内容】
【特許請求の範囲】
【請求項１】
直方体形状又は立方体形状に枠組みされ、内部に配管用スペースを有するフレームと、  前記フレームの後面に設けられた壁面取付部と、
前記フレームの後面以外の少なくとも何れか一面を覆う化粧パネルとを具備し、
壁面に取り付けられる壁面装飾用ボックスであって、
前記フレームは、後面から長手方向の両端面にかけて延びる切り欠き部を有しているとともに上下に開口している一方、
前記フレームの前面を前記化粧パネルで覆うよう構成されていることを特徴とする壁面装飾用ボックス。
【請求項２】
前記フレーム内に、前記配管用スペースに配置される配管が接続される水栓が収容された請求項１に記載の壁面装飾用ボックス。
【請求項３】
前記フレームに収容棚が設けられた請求項１に記載の壁面装飾用ボックス。
【請求項４】
前記フレーム内に照明器具が収容された請求項１に記載の壁面装飾用ボックス。
【請求項５】
直方体形状又は立方体形状に枠組みされ、内部に配管用スペースを有するフレームと、 前記フレームの後面に設けられた壁面取付部と、
前記フレームの後面以外の少なくとも何れか一面を覆う化粧パネルとを具備し、
壁面に取り付けられる壁面装飾用ボックスであって、
前記フレームは、後面から長手方向の両端面にかけて延びる切り欠き部を有し、
さらに、
前記フレームの側面を覆う前記化粧パネルが該フレームに対して着脱自在であり、隣接する二つの前記フレームどうしの隣接面となる各々の側面から前記化粧パネルを取り外しておくことにより、二つの前記フレームの内部の前記配管用スペースを相互に連通させることができるように構成されていることを特徴とする壁面装飾用ボックス。
【請求項６】
請求項１〜５の何れか一項に記載の壁面装飾用ボックスを複数隣接配置して構成した壁面装飾構造体。